(57)【要約】      （修正有）【課題】煉瓦造りの火葬炉において、上側の煉瓦の荷重を下側の煉瓦以外に分散させ、煉瓦を正確に積み上げる際に炉体の高さ位置を把握しやすくする。【解決手段】火葬炉は主に煉瓦造りの炉体３と、その周囲を包囲する金属製の炉枠５を備える。また炉体は、台車１を前後方向に出し入れする入口が形成された主燃焼炉３ａを備える。主燃焼炉は、台車を収容する台車空間部３ｅと、台車空間部の上側に位置する燃焼空間部３ｄとを備える。そして主燃焼炉は煉瓦造りの左右の側壁１２を備え、台車空間部と燃焼空間部との境において左右方向の内側に張り出す庇部１２ｃを備える。炉枠は、側壁の左右を被覆する被覆板５１の他に、庇部を受ける部位に受金物５３を備えるように構成し、上側の煉瓦の荷重を支えるようにする。【選択図】図２
0003227266.tif 000002
【実用新案登録請求の範囲】
【請求項１】
台車を前後方向に出し入れする入口が形成された主燃焼炉と、主燃焼炉に対して上側に位置すると共に主燃焼炉で発生したガスを燃焼する再燃焼炉とを含む炉体、入口を開閉する扉、および炉体の周囲を包囲する金属製の炉枠を備え、
炉体は、主燃焼炉と再燃焼炉の左右に位置する左右の側壁と、主燃焼炉の天井と再燃焼炉の床とを構成すると共に左右の側壁の間に架設した主燃天井壁と、再燃焼炉の天井を構成する再燃天井壁とを備え、
主燃焼炉は、台車を収容する台車空間部と、台車空間部の上側に位置する燃焼空間部とを備え、
左右の側壁と主燃天井壁と再燃天井壁とは煉瓦造りの煉瓦層を備え、
炉枠は、炉体の左右を被覆する左右の被覆板と、前後方向に沿って延びる状態で左右の被覆板に対して固定されると共に上下の煉瓦に挟まれる状態で上側の煉瓦を受ける受金物とを備え、
左右の側壁は、台車空間部の左右に配置された左右の台車空間用側壁部と、燃焼空間部の左右に配置された左右の燃焼空間用側壁部とを備え、
左右の燃焼空間用側壁部の下部は、左右の台車空間用側壁部に対して左右方向の内側に張り出す庇部であり、
受金物は庇部を受ける部位に位置することを特徴とする火葬炉。
【請求項２】
複数の受金物を備え、
受金物は、庇部を受ける部位の他に、左右の側壁のうち主燃天井壁を架設する部位と、左右の側壁のうち再燃天井壁を架設する部位に位置することを特徴とする請求項１に記載の火葬炉。
【請求項３】
受金物の下面に配置される煉瓦層は、耐火煉瓦造りの耐火層と、耐火層に対して左右方向の外側に配置される断熱煉瓦造りの断熱層とを備え、
受金物は、煉瓦層の左右方向の内面側からは被覆されると共に、左右方向の長さに関しては断熱層に対して外側から耐火層の外側部に達する範囲まで延びることを特徴とする請求項１又は２に記載の火葬炉。
【考案の詳細な説明】
【技術分野】
【０００１】
本考案は、棺を載せるための台車を出し入れ可能な火葬炉に関する。
【背景技術】
【０００２】
火葬炉は、煉瓦やセラミックファイバー等の耐火材を主として用いて形成される。より詳しく言えば、火葬炉は、耐火材で形成された炉体と、炉体の外側を包囲する金属製の炉枠とを備えるものである（特許文献１）。
【０００３】
炉体はその殆どを煉瓦造りとしており、台車上の棺を燃焼する下側の主燃焼炉と、主燃焼炉で発生する未燃焼ガスを燃焼する上側の再燃焼炉とを備えている。主燃焼炉では左右の側壁部のうち高さ中間部から庇部が左右方向の内側に張り出しており、庇部に対して下側の空間部に台車を収容し、庇部に対して上側の空間部において棺を燃焼するようになっている。また炉体の左右の側壁部には、再燃焼炉の天井となる再燃天井壁が架設され、主燃焼炉の天井となる主燃天井壁が架設されている。
【先行技術文献】
【特許文献】
【０００４】
【特許文献１】実用新案登録第３１６１４４９号公報
【考案の概要】
【考案が解決しようとする課題】
【０００５】
炉体は高温に晒されることから徐々に傷みが進行する。そこで炉体は定期的にその一部分の煉瓦を修繕し、傷み具合を見ながらおよそ１０年〜２０年毎に全体の煉瓦を交換することが行われている。
【０００６】
ところで煉瓦造りの場合、下の煉瓦は上の煉瓦に比べて大きな荷重が加わるので、経年劣化し易い。
また炉体の一部分を修繕する場合には傷んだ部分の煉瓦を解体するが、その際に解体部分は一時的に空洞になる。解体した煉瓦に加わっていた荷重が空洞の周囲の煉瓦に加わることから、炉体が空洞の周辺から崩れないように、空洞の大きさ（解体量）は慎重に決めなければならない。
したがって上側の煉瓦の荷重の全てが下側の煉瓦に加わらないように、荷重を分散できることが望ましい。
【０００７】
また炉体の全体の煉瓦を交換する場合には、煉瓦を正確に積み上げることが求められ、特に庇部や主燃天井壁や再燃天井壁の位置を正確に把握しなければ、所望の形状に炉体を形成することができない。
【０００８】
本考案は上記実情を考慮して創作されたもので、その目的は、上側の煉瓦の荷重を下側の煉瓦以外に分散させることができ、しかも煉瓦を正確に積み上げる際に炉体の高さ位置を把握しやすくすることである。
【課題を解決するための手段】
【０００９】
本考案の火葬炉は、台車を前後方向に出し入れする入口が形成された主燃焼炉と、主燃焼炉に対して上側に位置すると共に主燃焼炉で発生したガスを燃焼する再燃焼炉とを含む炉体、入口を開閉する扉、および炉体の周囲を包囲する金属製の炉枠を備える。炉体は、主燃焼炉と再燃焼炉の左右に位置する左右の側壁と、主燃焼炉の天井と再燃焼炉の床とを構成すると共に左右の側壁の間に架設した主燃天井壁と、再燃焼炉の天井を構成する再燃天井壁とを備える。また主燃焼炉は、台車を収容する台車空間部と、台車空間部の上側に位置する燃焼空間部とを備える。そして左右の側壁と主燃天井壁と再燃天井壁とは煉瓦造りの煉瓦層を備える。また炉枠は、炉体の左右を被覆する左右の被覆板と、前後方向に沿って延びる状態で左右の被覆板に対して固定されると共に上下の煉瓦に挟まれる状態で上側の煉瓦を受ける受金物とを備える。そして左右の側壁は、台車空間部の左右に配置された左右の台車空間用側壁部と、燃焼空間部の左右に配置された左右の燃焼空間用側壁部とを備える。また左右の燃焼空間用側壁部の下部は、左右の台車空間用側壁部に対して左右方向の内側に張り出す庇部である。そのうえで受金物は庇部を受ける部位に位置する。
【００１０】
受金物の数量については問わないが、煉瓦の荷重を分散させたり、煉瓦を正確に積み上げたりするには次のようにすることが望ましい。
すなわち、複数の受金物を備えることにする。そして受金物は、庇部を受ける部位の他に、左右の側壁のうち主燃天井壁を架設する部位と、左右の側壁のうち再燃天井壁を架設する部位に位置するようにする。
【００１１】
また受金物の左右方向の長さに関しては問わないが、受金物の焼損をできる限り防いだ上で、煉瓦の荷重を分散させたり、煉瓦を正確に積み上げたりするには次のようにすることが望ましい。
すなわち受金物の下面に配置される煉瓦層は、耐火煉瓦造りの耐火層と、耐火層に対して外側に配置されると共に断熱煉瓦造りの断熱層とを備えるものとする。そして受金物は、煉瓦層の左右方向の内面側からは被覆されると共に、左右方向の長さに関しては断熱層に対して外側から耐火層の外側部に達する範囲まで延びることにする。
【考案の効果】
【００１２】
本考案の火葬炉によれば、庇部を受ける部位に受金物が位置しているので、庇部を形成する際の目安になるし、受金物に対し上側の煉瓦の荷重が受金物とその下側の煉瓦に分散するので、炉体を修繕し易くなるし、下側の煉瓦の劣化をできる限り抑制できる。
【００１３】
また本考案の火葬炉は、庇部を受ける部位の他に、左右の側壁のうち主燃天井壁を架設する部位と、左右の側壁のうち再燃天井壁を架設する部位に受金物を位置するものであれば、主燃天井壁や再燃天井壁を形成する際の目安になるし、これら各部位の下側の煉瓦に加わる荷重を減らせるので、炉体を修繕し易くなるし、下側の煉瓦の劣化をできる限り抑制できる。
【００１４】
また本考案の火葬炉は、受金物の下面に配置される煉瓦層が耐火層と断熱層とを備えるものとし、受金物が煉瓦層の左右方向の内面側からは被覆されるものであれば、受金物の焼損をできる限り防げるし、例えば受金物が断熱層の上側にのみ位置するものに比べれば、受金物の下側の煉瓦に加わる荷重を減らせるので、炉体を修繕し易くなるし、受金物が断熱層だけでなく耐火層の煉瓦を積み上げる際の目安にもなる。
【図面の簡単な説明】
【００１５】
【図１】本考案の第一実施形態の火葬炉の断面図で、側面方向から見た状態を示す。
【図２】図１のII−II線断面図である。
【考案を実施するための形態】
【００１６】
本考案の第一実施形態の火葬炉は図１，２に示すように、台車１を出し入れする入口２が形成された炉体３、炉体３の入口２を開閉可能な扉４、扉４を昇降させる昇降機構（図示省略）、および炉体３の周囲を包囲する金属製の炉枠５、炉体３の下部を構成する主燃焼炉３ａに固定された主燃バーナ６と、炉体３の上部を構成する再燃焼炉３ｂに固定された再燃バーナ７とを主として備える。ちなみに図２では主燃バーナ６と再燃バーナ７を省略してある。
【００１７】
炉体３は、前壁１１と左右の側壁１２と後壁１３と床壁１４と天井壁１５とによって前後方向に長い箱型に形成されている。また炉体３の上部は前記したように再燃焼炉３ｂである。したがって箱型の天井壁１５とは、再燃焼炉３ｂの天井を構成する再燃天井壁１５であり、左右の側壁１２の上端部に架設される。また炉体３の下部は前記したように主燃焼炉３ａである。主燃焼炉３ａと再燃焼炉３ｂとは上下に仕切られている。この仕切りは、主燃焼炉３ａの天井と再燃焼炉３ｂの床を構成する主燃天井壁１６であり、左右の側壁１２の高さ中間部に架設される。
再燃天井壁１５と主燃天井壁１６とは前後方向から見て、上方に膨らむ形の円弧状に形成され、左右の中間部が左右の端部に比べて上方に位置している。
また主燃天井壁１６は、後壁１３に対して前側に間隔をあけて形成されており、この間隔の部分が主燃焼炉３ａの内部空間と再燃焼炉３ｂの内部空間とを連絡させる連絡路３ｃとなる。また主燃天井壁１６の後部には連絡路３ｃよりも前側から垂下壁１７が垂下している。
【００１８】
前壁１１は左右の側壁１２の前面における上部に架設される。前壁１１は左右の側壁１２の前面における下部には架設されておらず、主燃焼炉３ａの前面の下部には開口部２が形成される。この開口部２が台車１を出し入れする入口２となる。
【００１９】
床壁１４の左右方向の中央部は空洞部１８である。空洞部１８は金属製で、箱状に形成される。空洞部１８の上面、つまり主燃焼炉３ａの床面には複数本のレール１９が固定され、レール１９は前後方向に沿って延びている。また空洞部１８にはコンベヤ装置（図示省略）の後部が設置され、コンベヤ装置の前部が炉体３に対して前側の前室（図示省略）の下部空間に設置される。コンベヤ装置は、台車１を前後方向に往復動させる移動機構の他に、台車１に対して連結・解除可能な連結機構（図示省略）を備えている。
【００２０】
後壁１３は主燃焼炉３ａに対応する部分には炉枠５を介して主燃バーナ６が上下方向に揺動可能に固定される。また後壁１３は再燃バーナ７に対応する部分には炉枠５を介して再燃バーナ７が固定される。主燃バーナ６と再燃バーナ７の各先部を収容する貫通穴１３ａ，１３ｂが後壁１３と炉枠５に形成される。
【００２１】
主燃バーナ６によって火葬すると、主燃焼炉３ａの内部空間で発生したガス（未燃焼ガス）は、垂下壁１７の下端から連絡路３ｃを通って再燃焼炉３ｂの内部空間に導かれ、再燃バーナ７によって再燃焼される。また再燃焼炉３ｂの再燃天井壁１５の前部には上下方向に通じる排気口１５ａが形成されており、再燃焼された後のガスが排気口１５ａから排出される。
【００２２】
主燃焼炉３ａはその内部空間のうち上部空間を台車１上の棺を燃焼する燃焼空間部３ｄとし、その内部空間のうち下部空間を台車１を収容する台車空間部３ｅとしてある。
【００２３】
左右の側壁１２は、再燃焼炉３ｂに関してはその内面が鉛直面に形成される。また左右の側壁１２は、主燃焼炉３ａに関してはその下部に対して上部が左右方向の内側に張り出す状態になっている。詳しく言えば、主燃焼炉３ａに関しては左右の側壁１２は、台車空間部３ｅの左右に配置された左右の台車空間用側壁部１２ａと、燃焼空間部３ｄの左右に配置された左右の燃焼空間用側壁部１２ｂとを備える。
左右の台車空間用側壁部１２ａは、その内面が鉛直面に形成され、台車空間部３ｅに収容された台車１の側面に近接する状態になる。
左右の燃焼空間用側壁部１２ｂの下部は、左右の台車空間用側壁部１２ａに対して左右方向の内側に張り出す庇部１２ｃである。より詳しく言えば庇部１２ｃは、台車空間用側壁部１２ａの真上に位置する真上部と、真上部から台車空間用側壁部１２ａよりも左右方向の内側に張り出す庇部本体とを備える。庇部本体の下面（庇部１２ｃの左右方向における内側部の下面）は台車１の左右端部の上面に近接する状態になる。庇部１２ｃの左右方向の内面は下に向かうにつれて左右方向の内側に張り出す斜面となっている。また左右の燃焼空間用側壁部１２ｂは、庇部１２ｃよりも上側を鉛直面としてある。
【００２４】
炉体３は、主燃焼炉３ａと再燃焼炉３ｂとの外形を構築する煉瓦造りの煉瓦層２１と、煉瓦層２１の内面の一部を覆うセラミックファイバー層２２とを備える。煉瓦層２１は煉瓦を前後や左右および上下に積んで形成される。セラミックファイバー層２２は煉瓦層２１よりも耐火性に優れたもので、セラミックファイバーの板である。
【００２５】
再燃焼炉３ｂは、左右の側壁１２と再燃天井壁１５とを煉瓦層２１とセラミックファイバー層２２とで形成し、前壁１１と後壁１３とを煉瓦層２１のみで形成してある。
主燃焼炉３ａは、左右の側壁１２のうち燃焼空間用側壁部１２ｂを煉瓦層２１とセラミックファイバー層２２とで形成し、左右の側壁１２のうち台車空間用側壁部１２ａと床壁１４のうち空洞部１８以外と前壁１１と後壁１３とを煉瓦層２１のみで形成してある。
また主燃天井壁１６は、垂下壁１７よりも前側部分に関しては上側の煉瓦層２１と下側のセラミックファイバー層２２とで形成し、垂下壁１７から後側部分に関しては煉瓦層２１のみで形成してある。
【００２６】
炉枠５は金属製である。また炉枠５は、左右の側壁１２、前壁１１、後壁１３の各外面を被覆する被覆板５１と、被覆板５１の外面に固定された補強材５２と、被覆板５１の内面に固定されると共に上下の煉瓦に挟まれる状態で上側の煉瓦を受ける受金物５３とを備える。
【００２７】
補強材５２や受金物５３を被覆板５１に固定するには例えばスポット溶接が用いられる。補強材５２としては例えば溝形鋼やＨ形鋼が用いられる。
【００２８】
受金物５３としては例えば山形鋼が用いられる。山形鋼は前後方向から見て「Ｌ」字状であり、前後方向に沿って延びる。そして受金物５３としての山形鋼は、鉛直方向に延びる一片５３ａと、左右方向に延びる他片５３ｂとで構成する。
鉛直方向に延びる一片５３ａは、炉体３の左右の側壁１２の外面を被覆する被覆板５１に対してその左右の内面に固定する固定片５３ａである。また固定片５３ａは「Ｌ」字状の屈曲部を上側に向けた状態で固定される。
左右方向に延びる他片５３ｂは、上下の煉瓦に挟まれる状態で上側の煉瓦を受ける受片５３ｂである。
受金物５３の受片５３ｂは、庇部１２ｃ（真上部）を受ける部位と、左右の側壁１２のうち主燃天井壁１６を架設する部位と、左右の側壁１２のうち再燃天井壁１５を架設する部位との三か所の部位に位置する。
【００２９】
左右の側壁１２の煉瓦層２１は、上記した三か所の部位以外に関してはその全高さ範囲の大部分について、耐火煉瓦造りの耐火層２３と、耐火層２３に対して外側に配置される断熱煉瓦造りの断熱層２４とを備える。ちなみに耐火煉瓦は耐火性と蓄熱性を備え、暖まり易く冷め難いもので、断熱煉瓦は耐火煉瓦に比べて、耐火性が劣ると共に断熱性が優れ、温まり難く冷め易い性質である。
【００３０】
より詳しく言えば、受金物５３の下面に配置される煉瓦層２１の構成は、三か所のいずれにおいても同じで、耐火層２３と断熱層２４の両層である。ただし断熱層２４は左右方向の全範囲が受金物５３の下面に配置されるが、耐火層２３は左右方向の外側部のみが受金物５３の下面に配置される。つまり受金物５３の受片５３ｂは、左右方向の長さに関しては断熱層２４に対して外側から耐火層２３の外側部に達する範囲まで延びており、耐火層２３の内側部（煉瓦層２１の左右方向の内面側）からは被覆される。
【００３１】
一方、受金物５３（受片５３ｂ）の上面に配置される煉瓦層２１の構成は、三か所において異なっている。
庇部１２ｃに関しては受金物５３の上面には、左右の被覆板５１に対して左右方向の内側に不定形耐火物２５が配置され、不定形耐火物２５に対して左右方向の内側に特殊耐火ブロック２６が配置される。ちなみに不定形耐火物２５、特殊耐火ブロック２６は耐火物の一種であり、厳密に言えばＪＩＳ規格（ＪＩＳ  Ｒ  ２００１）では煉瓦ではないが、煉瓦も耐火物の一種であることから、本明細書においては、不定形耐火物２５、特殊耐火ブロック２６も煉瓦として取り扱う。不定形耐火物２５は火葬炉の設置現場で施工して作られたもので、特殊耐火ブロック２６やその他の煉瓦は工場で予め所望の形に作られたものである。
主燃天井壁１６を架設する部位に関しては受金物５３の上面には、左右の被覆板５１に対して左右方向の内側に不定形耐火物２５が配置され、不定形耐火物２５に対して左右方向の内側に耐火煉瓦２７が配置される。
再燃天井壁１５を架設する部位に関しては受金物５３の上面には耐火煉瓦２７のみが配置される。
【００３２】
本考案の第一実施形態の火葬炉は、庇部１２ｃを受ける部位に受金物５３が位置しているので、庇部１２ｃを形成する際の目安になるし、受金物５３に対し上側の煉瓦の荷重が受金物５３とその下側の煉瓦に分散するので、炉体３を修繕し易くなるし、下側の煉瓦の劣化をできる限り抑制できる。
【００３３】
また本考案の第一実施形態の火葬炉は、庇部１２ｃを受ける部位の他に、左右の側壁１２のうち主燃天井壁１６を架設する部位と、左右の側壁１２のうち再燃天井壁１５を架設する部位に受金物５３を位置するので、主燃天井壁１６や再燃天井壁１５を形成する際の目安になるし、これら各部位の下側の煉瓦に加わる荷重を減らせるので、炉体３を修繕し易くなるし、下側の煉瓦の劣化をできる限り抑制できる。
【００３４】
また本考案の第一実施形態の火葬炉は、受金物５３の下面に配置される煉瓦層２１が耐火層２３と断熱層２４とを備え、受金物５３が煉瓦層２１の左右方向の内面側からは被覆されるので、受金物５３の焼損をできる限り防げるし、例えば受金物５３が断熱層２４の上側にのみ位置するものに比べれば、受金物５３の下側の煉瓦に加わる荷重を減らせるので、炉体３を修繕し易くなるし、受金物５３が断熱層２４だけでなく耐火層２３の煉瓦を積み上げる際の目安にもなる。
【００３５】
本考案は上記実施形態に限定されるものではなく、その趣旨を逸脱しない範囲において適宜変更可能である。たとえば受金物５３は上記実施形態では「Ｌ」字状であったが、本考案ではこれに限らず、上下の煉瓦に挟まれる受片５３ｂを備えるものであれば良く、「Ｔ」字状などその他の形状であっても良い。
【符号の説明】
【００３６】
１  台車
２  入口（開口部）
３  炉体
３ａ  主燃焼炉
３ｂ  再燃焼炉
３ｃ  連絡路
３ｄ  燃焼空間部
３ｅ  台車空間部
４  扉
５  炉枠
６  主燃バーナ
７  再燃バーナ
１１  前壁
１２  側壁
１２ａ  台車空間用側壁部
１２ｂ  燃焼空間用側壁部
１２ｃ  庇部
１３  後壁
１３ａ，１３ｂ  貫通穴
１４  床壁
１５  天井壁（再燃天井壁）
１５ａ  排気口
１６  主燃天井壁
１７  垂下壁
１８  空洞部
１９  レール
２１  煉瓦層
２２  セラミックファイバー層
２３  耐火層
２４  断熱層
２５  不定形耐火物
２６  特殊耐火ブロック
２７  耐火煉瓦
５１  被覆板
５２  補強材
５３  受金物
５３ａ  一片（固定片）
５３ｂ  他片（受片）
【図１】
0003227266.tif 000003
【図２】
0003227266.tif 000004